(57)【要約】【課題】骨盤廻りの筋肉に働きかけて姿勢を良くすることができ、しかも取扱が簡便で違和感なく着用することができるガードルを提供する。【解決手段】緊締力の大きさが方向により異なる緊締部を、着用者の人体にフィットする部位に含んで構成されるガードル（ショート、ロング）類である。緊締布部２１は着用状態で殿裂の上方から左右の臀部上方を通って左右の大転子近傍に延び、緊締布部２１が延在する方向の緊締力が小さくされている。また、緊締布部２１の前側には補助緊締布部２２が緊締布部２１に沿って延びるように設けられ、補助緊締部が延在する方向の緊締力が小さくされている。【選択図】　図１０
2004011055.tif 000002
【特許請求の範囲】
【請求項１】
緊締力の大きさが方向により異なる緊締部を、着用者の人体にフィットする部位に含んで構成され、
前記緊締部は着用状態で殿裂の上方から左右の臀部上方を通って左右の大転子近傍に延び、
前記緊締部が延在する方向の緊締力が、前記延在する方向と直交する方向の緊締力より小さくされている
ことを特徴とする股付き矯正衣類。
【請求項２】
緊締力の大きさが方向により異なる左右一対の緊締部を、着用者の人体にフィットする部位に含んで構成され、
前記左右一対の緊締部は着用状態でそれぞれ左右の大転子近傍から殿裂の上方に向かうように左右の臀部上方に延び、
前記左右一対の緊締部が延在する方向の緊締力が、前記延在する方向と直交する方向の緊締力より小さくされている
ことを特徴とする股付き矯正衣類。
【請求項３】
着用者の太腿にフィットする太腿部を更に有し、
前記緊締部は大転子近傍から更に前記太腿部の外側に沿って延びている
ことを特徴とする請求項１または２記載の股付き矯正衣類。
【請求項４】
前記緊締部は着用状態で臀部上方において湾曲する形状をなしている
ことを特徴とする請求項１〜３のいずれか記載の股付き矯正衣類。
【請求項５】
左右の腰部における前記緊締部は着用状態で上方に向って前側と後側に分岐し、後側の分岐は左右の大転子近傍から殿裂の上方に向かうように左右の臀部上方に延び、前側の分岐は着用状態で大転子から上方に延びていることを特徴とする請求項１〜４のいずれか記載の股付き矯正衣類。
【請求項６】
左右の腰部における前記緊締部の前側には、左右一対の補助緊締部が前記緊締部に沿って延びるように設けられ、
前記左右一対の補助緊締部が延在する方向の緊締力が、前記延在する方向と直交する方向の緊締力より小さくされている
ことを特徴とする請求項１〜４のいずれか記載の股付き矯正衣類。
【請求項７】
緊締力の大きさが方向により異なる緊締部と補助緊締部を、着用者の人体にフィットする部位に含んで構成され、
前記緊締部は着用状態で左右の大転子近傍から殿裂の上方に向かうように左右の臀部上方に延びると共に、前記緊締部の前側には前記補助緊締部が沿うように設けられ、
前記緊締部および前記補助緊締部が延在する方向の緊締力が、前記延在する方向と直交する方向の緊締力より小さくされている
ことを特徴とする股付き矯正衣類。
【請求項８】
前記補助緊締部は着用状態で下方に向って幅が広くなるようにされている請求項６または７記載の股付き矯正衣類。
【請求項９】
緊締力を有する素材で構成され、着用状態で前中心のクロッチ上方から左右の上方に向って延びる体前面緊締部を更に有する
ことを特徴とする請求項１〜８のいずれか記載の股付き矯正衣類。
【請求項１０】
前記緊締部は帯形状に構成されている
ことを特徴とする請求項１〜９のいずれか記載の股付き矯正衣類。
【請求項１１】
前記緊締部は経編み一枚布のパワー切り替えにより形成されている
ことを特徴とする請求項１〜１０のいずれか記載の股付き矯正衣類。
【請求項１２】
ガードル、スパッツ、スポーツ用タイツ、レオタード、ボディスーツ、男性用パンツ・タイツ・スパッツのいずれかである
ことを特徴とする請求項１〜１１のいずれか記載の股付き矯正衣類。
【発明の詳細な説明】
【０００１】
【発明の属する技術分野】
本発明は、姿勢矯正用のガードルのような股付き矯正衣類に関する。
【０００２】
【従来の技術】
このような股付き矯正衣類としては、例えば特開２００１−１９２９０３号のガードルが知られている。ここでは、仙骨から大殿筋の筋繊維方向に沿って、強い緊締力を生じさせる帯形状の強緊締力部が設けられ、股関節を安定させることを主目的として、腰椎前湾を弱める機能を果たしている。また、腰痛対策や整体等の目的で用いられるガードルとしては、例えば特開平６−１７３１０１号、特開平１０−８３０３号、特開２００１−１０４３６９号、特開２００１−１９２９０３号に示されるものが知られている。
【０００３】
特開平６−１７３１０１号のガードルでは、腰部を水平方向に締め上げる帯状の骨盤矯正片が取り付られており、特開平１０−８３０３号では帯状の固定具を取り付けたガードルが開示されている。また、特開２００１−１０４３６９号では伸縮性の素材からなるバンドを腰部に巻き付けるようにしたガードルが開示されている。
【０００４】
【発明が解決しようとする課題】
しかし、従来のガードルでは姿勢矯正の効果が低く、取扱も困難であった。例えば特開平６−１７３１０１号や特開平１０−８３０３号に示されるガードルでは、衣類の本体とは別体（又は一端が本体に縫着）のベルト状矯正片や固定具を用いており、取扱が困難である。特開２００１−１０４３６９号のガードルについても、衣類の本体とは別体の伸縮性バンドを用いているので、着用時に違和感があって取扱も容易でない。そして、これらのガードルは腰痛対策を主眼としており、姿勢のバランスを改善する効果は低い。
【０００５】
このように、従来の姿勢矯正タイプの衣料は、上半身用の猫背矯正衣料や下半身用の腰痛予防衣料が中心で、骨盤廻りに働きかけて全身の姿勢を良くしようとする試みはなされていない。
【０００６】
本発明は、骨盤廻りの筋肉に働きかけて姿勢を良くすることができ、しかも取扱が簡便で違和感なく着用できる股付き矯正衣類を提供することを目的とする。
【０００７】
【課題を解決するための手段】
本発明者のリサーチによると、骨盤が後傾あるいは直立していることで姿勢のバランスが悪くなり、猫背になっている人が少なくない。そこで、姿勢のバランスに各種各様の問題がある人をモニターとして、骨盤廻りの筋肉（梨状筋、腸腰筋、仙棘筋、外腹斜筋など）に沿ってテーピングを施し、姿勢変化や主観（着用感）を調べた。
【０００８】
その結果、特に骨盤が直立あるいは後傾気味の人については、梨状筋のサポートを施すことが姿勢矯正の効果が高く、腸腰筋や外腹斜筋のサポートを併用すると、より一層の効果が見込めることが判明した。一方、仙棘筋については充分な姿勢矯正効果は認められなかった。
【０００９】
なお、骨盤廻りの筋肉のうち梨状筋、腸腰筋および外腹斜筋の位置を図示すると、図１にハッチングで描く通りである。梨状筋は、骨盤を背面から見た図１（ａ）に示す通り、股関節に位置し、股関節を外施させるための筋肉である。腸腰筋は、人体を前面から見た図１（ｂ）に示す通り、腰部に位置する。一般には、大腰筋と腸骨筋を合わせて腸腰筋と呼び、内臓と脊椎の間にあることから深部腹筋群とも総称され、大腿直筋とともに股関節屈筋を構成する。外腹斜筋は、人体を前面から見た図１（ｃ）に示す通り、腰部から腹部を通って胸部にかけて広く位置している。
【００１０】
また、人体の大転子、腸棘、仙骨および第５腰椎の位置を図示すると、図２の通りである。なお、図２（ａ）は人体を前面から見た骨格、同図（ｂ）はその外形状、同図（ｃ）は人体を背面から見た骨格、同図（ｄ）はその外形状を示す。腸棘は同図（ａ）および（ｂ）に示す通り、骨盤の外側頂部に位置し、大転子は図２（ｃ）および（ｄ）に示す通り、大腿骨の頂部に位置する。また、仙骨は同図（ｃ）および（ｄ）にハッチングで示す通り、骨盤中央の腰椎下部に位置し、第５腰椎は同図（ｃ）および（ｄ）に示す通り、仙骨の上方に位置している。
【００１１】
本発明に係る股付き矯正衣類は、緊締力の大きさが方向により異なる緊締部を、着用者の人体にフィットする部位に含んで構成され、緊締部は着用状態で殿裂の上方から左右の臀部上方を通って左右の大転子近傍に延び、緊締部が延在する方向の緊締力が、延在する方向と直交する方向の緊締力より小さくされていることを特徴とする。
【００１２】
本発明によれば、着用者の人体に緊締力を付与する緊締部は、この衣類自体の構成要素を成すように、着用者の人体にフィットする部位に設けられているので、取扱が容易であって着用感を損なわない。そして、着用状態で殿裂の上方から左右の臀部上方を通って左右の大転子近傍に延びる緊締部は、その延在する方向の緊締力が小さく（直交する方向が大きく）なるように構成されているので、梨状筋をサポートして仙骨のやや上部を後ろから押すような作用を果たす。すなわち、殿裂の上方から左右の臀部上方を通って左右の大転子近傍に至る帯状の部位において、この延在方向に直交する方向に強い緊締力が働くので、臀部はやや伸びて脇部のテンションが強くなり、したがって脇部を内股にさせてお尻を突き出させるような働きをする。
【００１３】
本発明に係る股付き矯正衣類は、緊締力の大きさが方向により異なる左右一対の緊締部を、着用者の人体にフィットする部位に含んで構成され、左右一対の緊締部は着用状態でそれぞれ左右の大転子近傍から殿裂の上方に向かうように左右の臀部上方に延び、左右一対の緊締部が延在する方向の緊締力が、延在する方向と直交する方向の緊締力より小さくされていることを特徴とする。
【００１４】
本発明によれば、着用者の人体に緊締力を付与する左右一対の緊締部は、この衣類自体の構成要素を成すように、着用者の人体にフィットする左右の部位に設けられているので、取扱が容易であって着用感を損なわない。そして、着用状態で殿裂の上方から左右の臀部上方を通って左右の大転子近傍に延びる左右一対の緊締部は、その延在する方向の緊締力が小さく（直交する方向が大きく）なるようにされているので、梨状筋をサポートして仙骨のやや上部を後ろから押すような作用を果たす。すなわち、殿裂の上方から左右の臀部上方を通って左右の大転子近傍に至る帯状の部位において、この延在方向に直交する方向に強い緊締力が働くので、臀部はやや伸び脇部のテンションが強くなり、したがって脇部を内股にさせてお尻を突き出すような働きをする。
【００１５】
本発明に係る股付き矯正衣類において、着用者の太腿にフィットする太腿部を更に有し、緊締部は大転子近傍から更に前記太腿部の外側に沿って延びていることが望ましく、このようにすれば、骨盤廻りの筋肉に作用を与えて、全身の姿勢を改善する機能が高まる。
【００１６】
本発明に係る股付き矯正衣類において、緊締部は着用状態で臀部上方において湾曲する形状をなしていることが望ましく、このようにすれば、着用感を向上させ得る。
【００１７】
本発明に係る股付き矯正衣類において、左右の腰部における緊締部は着用状態で下方に向って前側と後側に分岐し、後側の分岐は左右の臀部上方を通って殿裂の上方に延び、前側の分岐は着用状態で大転子から上方に延びていることが望ましく、このようにすれば、後側の分岐は梨状筋に好適に作用を与える一方、前側の分岐は腸腰筋に好適に作用し、姿勢を良くする機能を高め得る。
【００１８】
本発明に係る股付き矯正衣類において、左右の腰部における緊締部の前側には、左右一対の補助緊締部が前記緊締部に沿って延びるように設けられ、左右一対の補助緊締部が延在する方向の緊締力が、延在する方向と直交する方向の緊締力より小さくされていることが望ましく、このようにすれば、補助緊締部は腸腰筋に好適に作用する一方、後側の緊締部と前側の補助緊締部を別の素材で構成でき、梨状筋や腸腰筋に作用する緊締力を適宜に設定可能となる。
【００１９】
本発明に係る股付き矯正衣類は、緊締力の大きさが方向により異なる緊締部と補助緊締部を、着用者の人体にフィットする部位に含んで構成され、緊締部は着用状態で左右の大転子近傍から殿裂の上方に向かうように左右の臀部上方に延びると共に、緊締部の前側には前記補助緊締部が沿うように設けられ、緊締部および補助緊締部が延在する方向の緊締力が、延在する方向と直交する方向の緊締力より小さくされていることを特徴とする。
【００２０】
本発明に係る股付き矯正衣類によれば、着用者の人体に緊締力を付与する左右一対の緊締部は、この衣類自体の構成要素を成すように、着用者の人体にフィットする左右の部位に設けられているので、取扱が容易であって着用感を損なわない。そして、左右一対の緊締部は、その延在する方向の緊締力が小さく（直交する方向が大きく）なるようにされているので、梨状筋をサポートして仙骨のやや上部を後ろから押すような作用を果たす。また、補助緊締部は腸腰筋に好適に作用するので、結果として梨状筋と腸腰筋の双方に作用し、お尻を突き出させるような力と着用者の脚を内股にさせるような力が発生する。なお、後側の緊締部と前側の補助緊締部を別の素材で構成するとか、又は、別の素材を使用しなくても経編みの技術を使うことにより一枚布で曲線状・直線状・特定部位のみのパワー差を付けるとかすると、梨状筋や腸腰筋に作用する緊締力を適宜に設定可能となる。
【００２１】
本発明に係る股付き矯正衣類において、補助緊締部は着用状態で下方に向って幅が広くなるようにされていることが望ましく、このようにすれば、大転子に近い側で人体に作用する緊締力を大きくして姿勢を良くする効果を高め得る。
【００２２】
本発明に係る股付き矯正衣類において、緊締力を有する素材で構成され、着用状態で前中心のクロッチ上方から左右の上方に向って延びる体前面緊締部を更に有することが望ましく、このようにすれば、外腹斜筋に対しても作用を与えて姿勢を更に良くし得る。
【００２３】
本発明に係る股付き矯正衣類において、緊締部は帯形状に構成されていても良く、経編み一枚布のパワー切り替えにより形成されていても良い。また、股付き矯正衣類がガードル、スパッツ、スポーツ用タイツ、レオタード、ボディスーツ、男性用パンツ・タイツ・スパッツのいずれかであっても良い。
【００２４】
【発明の実施の形態】
以下、本発明の実施形態を図面に基づき説明する。なお、同一要素には同一符号を付し、重複する説明を省略する。
【００２５】
図３は、実施形態に係る股付き矯正衣類（ショートタイプのガードル）を示し、同図（ａ）は着用状態を背面から見た図、同図（ｂ）は側面から見た図である。このガードルは、着用者の下腹部前面にフィットするフロントウエスト布部１１と、臀部にフィットするヒップ布部１２と、股部にフィットするクロッチ布部（図示せず）と、同様に着用者の人体（腰部）にフィットする緊締布部２１とを相互に縫製して構成される。このように、着用者の腰部に緊締力を付与する緊締布部２１は、この衣類（ガードル）自体の構成要素を成すように、腰部に好適にフィットする部位に設けられているので、取扱が容易であって着用感を損なわない。
【００２６】
緊締布部２１は、着用状態で殿裂の上方から左右の臀部上方を通って左右の大転子近傍に延び、概ね同一の幅を有する帯状をなしている。そして、緊締布部２１は緊締力の大きさが方向により異なる布地で形成され、一方向に緊締力が強く（延び難く）、これと直交する方向には緊締力が弱く（延び易く）されている。
【００２７】
すなわち、緊締布部２１の有する緊締力は、その延在方向（帯状の長手方向）が弱く、延在方向と直交する方向（帯状の幅方向）の緊締力が強くされている。そして、着用状態で緊締布部２１は上方に凸の形状に湾曲し、その最上部は図３（ａ）に示すように、殿裂の上方（仙骨の上部位置、ないし第５腰椎の位置）にフィットしている。
【００２８】
本実施形態に係るショート・ガードルによれば、着用状態で殿裂の上方から左右の臀部上方を通って左右の大転子近傍に延びる緊締布部２１は、その延在方向の緊締力が小さくなるよう構成されているので、梨状筋をサポートして仙骨のやや上部を後ろから押すような作用を果たす。すなわち、殿裂の上方から左右の臀部上方を通って左右の大転子近傍に至る帯状ラインに直交する方向に強い緊締力が働くので、臀部におけるガードルの布地はやや伸びて脇部の布地のテンションが強くなり、お尻を突き出させるような力と着用者の脚を内股にさせるような力が発生する。つまり、図４に矢印で示すように、骨盤を前傾させる力が作用するので、姿勢を良くする効果が奏される。
【００２９】
図５は、この作用を模式的に説明している。梨状筋サポートで仙骨（やや上部）を後から押す力（図中の矢印▲１▼）が働き、腸腰筋サポートで腰椎の前腕を大きくする力（図中の矢印▲２▼）が働き、結果として腰部を前に回転させる力（図中の矢印▲３▼）が生じる。これにより、全身の姿勢が良くなる。
【００３０】
なお、緊締部の具体的構成としては、第１に「衣類本体の布地の上に貼り付け」て構成する、第２に「衣類本体の布地の上に縫着する」ことによって構成する、第３に「編み立て（丸編み／経編み）一枚布でパワー切り替え」により構成する、の三通りがある。一例として、経編みについて言えば、シャガード柄を帯状にカーブさせてパワーの強いところを設けたシングルラッセルシャガードか、トリコットシャガードか、ダブルラッセルシャガード生地で作り得る。また、緊締部は大転子近傍の緊締力を最も強くして、延在する方向に徐々に力が弱くなるようにすることができる。
【００３１】
図６は、別の実施形態に係るショートタイプのガードルを示し、同図（ａ）は着用状態を背面から見た図、同図（ｂ）は斜め側面から見た図である。このガードルは、フロントウエスト布部１１、ヒップ布部１２およびクロッチ布部（図示せず）を有し、更に図３の実施形態と同様の緊締布部２１の他に、左右一対の補助緊締布部２２を有し、これらを一体に縫製して構成される。
【００３２】
この補助緊締布部２２は、左右の腰部における緊締布部２１の前側に位置し、緊締布部２１に沿って着用状態の上下方向（裾側に比べて脇側が若干、後方寄りとなるよう傾いた方向）に延びるように設けられている。そして、この補助緊締布部２２も緊締力の強さに方向性があり、延在方向（上下方向）の緊締力が延在方向と直交する方向（前後方向）の緊締力より小さくされている。このため、補助緊締布部２２は腸腰筋に好適に作用して腰椎の前湾を大きくするので、骨盤を前傾させて姿勢を良くする作用を高め得る。
【００３３】
この実施形態によれば、着用状態で腰部の後側に位置する緊締布部２１と、腰部の前側に位置する左右一対の補助緊締布部２２を、それぞれ別の素材で構成できる。このため、梨状筋や腸腰筋に作用する緊締力の大きさや方向を、個別かつ適宜に設定できる。
【００３４】
図７は、図６の実施形態に係るガードルの変形例を示し、同図（ａ）および（ｂ）はそれぞれ別の変形例の着用状態を斜め側面から見た図である。なお、背面および側面の構成は図５と同様で、緊締布部２１や補助緊締布部２２を衣類本体の要素（着用者の腰部にフィットする要素）として含んでいるものとする。
【００３５】
図７（ａ）のガードルは、フロントウエスト布部１１に体前面緊締布部２３を有し、これが外腹斜筋をサポートしている。この体前面緊締布部２３は緊締力を有する素材で構成され、着用状態で前中心（クロッチ上方）から左右の上方に向って延びる略Ｖ字形状をなしている。同図（ｂ）のガードルは、フロントウエスト布部１１の上部に逆三角形状の体前面緊締布部２４を有している。この体前面緊締布部２４も緊締力を有する素材で構成され、外腹斜筋をサポートしている。
【００３６】
図８は、本発明を適用したショートガードルの姿勢を良くする効果を示しており、点線はヌード状態のモニターの姿勢、実線は着用状態のモニターの姿勢を示す。図示の通り、後傾（又は直立）気味の姿勢が大きく改善されているのが理解できる。また、このようなショートガードルを着用したときには、姿勢を矯正するだけでなく、下半身の動きがスムーズとなったり、股関節が正常な位置に配置されることにより、歩行時のストライドが伸びる等の効果がある。
【００３７】
本発明の実施形態のように、左右の太腿の付け根から左右のヒップの上部を通り、殿裂上方で結合するライン（緊締布部２１のライン）で梨状筋をサポートすることが姿勢を良くする上で必須であり、次いで、下部は体側の中央線よりやや前面から始まり上部は中央線のやや後部に終わるライン（補助緊締布部２２のライン）で腸腰筋をサポートすると姿勢を良くする効果は向上し、あるいは、腹部前面を前中心から脇側へ斜め上方へ広がるライン（体前面緊締布部２３、２４のライン）で主として外腹斜筋をサポートしても、姿勢は更によくすることができる。
【００３８】
本発明は、上記の実施形態や変形例に限らず、図９〜２６に示すように種々の態様が可能である。
【００３９】
図９（ａ）〜（ｃ）は、それぞれ実施形態の第１変形例に係るショートタイプのガードルを背面から見た斜視図である。同図（ａ）のガードルでは、左右一対の補助緊締布部２２は左右の腰部における緊締布部２１の前側に位置し、緊締布部２１は殿裂上方に至るまで概ね同一の幅に構成されている。同図（ｂ）のガードルでは、左右一対の緊締布部２１は殿裂上方の近傍で幅狭に構成され、同図（ｃ）のガードルでは、左右一対の緊締布部２１は殿裂上方の手前で幅狭に構成されている。そして、いずれの場合も、補助緊締布部２２の前側にはフロントウエスト布部１１があり、ヒップ布部１２は補助緊締布部２２の上側部分１２Ａと下側部分１２Ｂに分割されている。
【００４０】
図１０は、図９（ａ）の型紙（左半分）を示している。矢印は、緊締布部２１と補助緊締布部２２が伸びる方向（緊締力の弱い方向）である。なお、フロントウエスト布部１１と上下に二分割されたヒップ布部１２の伸びる方向（緊締力の弱い方向）には方向依存性がない。この図９および図１０の変形例によれば、緊締布部２１と補助緊締布部２２を別の素材で構成できるので、梨状筋や腸腰筋に作用する緊締力の大きさや方向を個別かつ適宜に設定できる点で、特に姿勢を良くする効果が優れている。
【００４１】
図１１（ａ）〜（ｃ）は、それぞれ実施形態の第２変形例に係るショートタイプのガードルを背面から見た斜視図である。いずれの場合も、緊締布部２１と前側の補助緊締布部２２は大転子近傍（裾側）で一体化しており、同図（ａ）のガードルでは左右一対の緊締布部２１は殿裂上方に至るまで概ね同一の幅に構成され、同図（ｂ）では緊締布部２１は殿裂上方の近傍で幅狭に構成され、同図（ｃ）では緊締布部２１は殿裂上方の手前で幅狭に構成されている。そして、いずれの場合も、補助緊締布部２２の前側にはフロントウエスト布部１１があり、ヒップ布部１２は補助緊締布部２２の上側部分１２Ａと下側部分１２Ｂに分割されている。
【００４２】
緊締布部２１と補助緊締布部２２が伸びる方向（緊締力の弱い方向）は、緊締布部２１と補助緊締布部２２の延びる方向と概ね一致するので、姿勢を良くする効果がある。ただし、緊締布部２１と補助緊締布部２２は裾側で一体化しているので同一素材であり、緊締力の大きさや方向を個別設定することは困難である。
【００４３】
図１２（ａ）〜（ｃ）は、それぞれ実施形態の第３変形例に係るショートタイプのガードルを背面から見た斜視図である。いずれの場合も、補助緊締布部２２の前側にはフロントウエスト布部１１があり、ヒップ布部１２は緊締布部２１の上側部分１２Ａと下側部分１２Ｂに分割されている。また、緊締布部２１と前側の補助緊締布部２２は裾側で一体化している。
【００４４】
同図（ａ）のガードルでは、左右一対の緊締布部２１は上側に凸形状となるように滑らかに湾曲され、殿裂上方に至るまで概ね同一の幅に構成されている。同図（ｂ）のガードルでは、緊締布部２１は殿裂上方に至るまで概ね同一の幅で、略直線状に構成されている。同図（ｃ）のガードルでは、緊締布部２１は殿裂上方に至る手前で幅広に構成され、着用者の臀部の上部を幅広く覆うように構成されている。この場合も、緊締布部２１と補助緊締布部２２が伸びる方向（緊締力の弱い方向）は、緊締布部２１と補助緊締布部２２の延在方向と概ね一致するので、姿勢を良くする効果がある。ただし、緊締布部２１と補助緊締布部２２は同一素材なので、緊締力の大きさや方向を個別設定することは困難である。
【００４５】
図１３（ａ）〜（ｃ）は、それぞれ実施形態の第４変形例に係るショートタイプのガードルを背面から見た斜視図である。いずれの場合も、緊締布部２２の前側にはフロントウエスト布部１１があり、後側にはヒップ布部１２がある。図１２（ａ）〜（ｃ）の第３変形例と比較すると、臀部をカバーする緊締布部と脇をカバーする補助緊締布部が一体化して、幅広の緊締布部２０を構成している点で特徴がある。この場合も、緊締布部２０が伸びる方向（緊締力の弱い方向）は、その延在方向と概ね一致するので、梨状筋や腸腰筋に作用して姿勢を良くする効果がある。
【００４６】
図１４（ａ）〜（ｄ）は、それぞれ実施形態の第５変形例に係るショートタイプのガードルを前面から見た斜視図である。いずれの場合も、緊締布部２２は前側部分２２Ａと後側部分２２Ｂが別素材とされ、前側緊締布部２２Ａの前側にはフロントウエスト布部１１があり、後側のヒップ布部１２は緊締布部２１の上側部分１２Ａと下側部分１２Ｂに分割されている。同図（ａ）〜（ｄ）が相互に異なる点は、緊締布部２２の前側部分２２Ａと後側部分２２Ｂの形状であり、同図（ａ）は二本が上下に同一幅の同一形状、同図（ｂ）は二本が下側に幅広の形状、同図（ｃ）は前側部分２２Ａが下側に幅広で後側部分２２Ｂが上下に同一幅の形状、同図（ｄ）は前側部分２２Ａが上下に同一幅で後側部分２２Ｂが下側に幅広の形状をなしている。
【００４７】
この第５変形例の場合も、補助緊締布部２２の前側部分２２Ａと後側部分２２Ｂは別素材にできるので、緊締力の大きさや方向を個別設定可能である。また、緊締布部２０や補助緊締布部２２（２２Ａ、２２Ｂ）が伸びる方向（緊締力の弱い方向）は、その延在方向と概ね一致するので、梨状筋や腸腰筋に作用して姿勢を良くする効果がある。
【００４８】
図１５（ａ）〜（ｄ）は、それぞれ実施形態の第６変形例に係るショートタイプのガードルを前面から見た斜視図である。いずれの場合も、補助緊締布部２２は前側部分２２Ａと後側部分２２Ｂが別素材とされ、前側の補助緊締布部２２Ａの前側にはフロントウエスト布部１１があり、後側のヒップ布部１２は緊締布部２１の上側部分１２Ａと下側部分１２Ｂに分割されている。
【００４９】
同図（ａ）〜（ｄ）が相互に異なる点は、緊締布部２２の前側部分２２Ａと後側部分２２Ｂの形状であり、同図（ａ）は前側部分２２Ａが上下に同一幅で後側部分２２Ｂが上側に幅広の形状、同図（ｂ）は前側部分２２Ａが上側に幅広で後側部分２２Ｂが同一幅の形状、同図（ｃ）は二本が上側に幅広の形状、同図（ｄ）は前側部分２２Ａと後側部分２２Ｂとその間の中間部分２２Ｃ三本であって、いずれも上下に同一幅の同一形状をなしている。
【００５０】
この第６変形例の場合も、補助緊締布部２２の前側部分２２Ａと後側部分２２Ｂ（および中間部分２２Ｃ）は別素材にできるので、緊締力の大きさや方向を個別設定可能である。また、緊締布部２１や補助緊締布部２２（２２Ａ、２２Ｂ、２２Ｃ）が伸びる方向（緊締力の弱い方向）は、その延在方向と概ね一致するので、梨状筋や腸腰筋に作用して姿勢を良くする効果がある。
【００５１】
図１６（ａ）〜（ｃ）は、それぞれ実施形態の第７変形例に係るショートタイプのガードルを前面から見た斜視図である。いずれの場合も、着用者の臀部を覆う緊締布部２１と脇部を覆う補助緊締布部２２は接して設けられ、補助緊締布部２２の前側にはフロントウエスト布部１１があり、緊締布部２１の後側にはヒップ布部１２がある。
【００５２】
同図（ａ）〜（ｃ）が相互に異なる点は、緊締布部２１の前側に接する補助緊締布部２２の形状であり、同図（ａ）は補助緊締布部２２が上下に同一幅の形状、同図（ｂ）は補助緊締布部２２が上側に幅広の形状、同図（ｃ）は補助緊締布部２２が下側に幅広の形状をなしている。この第７変形例の場合も、緊締布部２１や補助緊締布部２２が伸びる方向は、その延在方向と概ね一致するので、梨状筋や腸腰筋に作用して姿勢を良くする効果がある。
【００５３】
図１７（ａ）〜（ｃ）は、それぞれ実施形態の第８変形例に係るショートタイプのガードルを前面から見た斜視図である。いずれの場合も、着用者の臀部を覆う緊締布部２１と脇部を覆う補助緊締布部２２は接して設けられ、補助緊締布部２２の前側にはフロントウエスト布部１１があり、緊締布部２１の後側にはヒップ布部１２がある。図１６の第７変形例と異なる点は、臀部を覆うための緊締布部２１が着用状態の上方で前後の二股に分岐していることである。
【００５４】
同図（ａ）〜（ｃ）が相互に異なる点は、緊締布部２１および補助緊締布部２２の形状である。同図（ａ）では、緊締布部２１は脇部上方での二股分岐が概ね同一幅形状であり、補助緊締布部２２が上下に同一幅の形状である。同図（ｂ）では、緊締布部２１の前側の分岐が先狭で後側の分岐が概ね同一幅形状であり、補助緊締布部２２が上側に先狭形状である。同図（ｃ）では、緊締布部２１は上方での二股分岐が概ね同一幅形状であり、補助緊締布部２２が上側に幅広の形状をなしている。この第８変形例の場合も、緊締布部２１や補助緊締布部２２が伸びる方向（緊締力の弱い方向）は、その延在方向と概ね一致するので、梨状筋や腸腰筋に作用して姿勢を良くする効果がある。
【００５５】
図１８（ａ）〜（ｃ）は、それぞれ実施形態の第９変形例に係るショートタイプのガードルを前面から見た斜視図である。いずれの場合も、着用者の臀部を覆う緊締布部２１と脇部を覆う補助緊締布部２２は接して設けられ、補助緊締布部２２の前側にはフロントウエスト布部１１があり、緊締布部２１の後側にはヒップ布部１２がある。図１６の第８変形例と異なる点は、脇部にフィットする補助緊締布部２２が着用状態で前後の二つの部分２２Ａ、２２Ｂから構成されていることである。
【００５６】
同図（ａ）〜（ｃ）が相互に異なる点は、前後の補助緊締布部２２Ａ、２２Ｂの形状である。同図（ａ）では、補助緊締布部２２の前後の部分２２Ａ、２２Ｂが共に上下に同一幅の形状であり、同図（ｂ）では、補助緊締布部２２の前後の部分２２Ａ、２２Ｂが共に上側に先狭形状であり、同図（ｃ）では、補助緊締布部２２の前後の部分２２Ａ、２２Ｂが共に上側に幅広の形状をなしている。この第９変形例の場合も、緊締布部２１や補助緊締布部２２が伸びる方向は、その延在方向と概ね一致するので、梨状筋や腸腰筋に作用して姿勢を良くする効果がある。
【００５７】
図１９（ａ）〜（ｃ）は、それぞれ実施形態の第１０変形例に係るショートタイプのガードルを背面から見た斜視図である。同図（ａ）〜（ｃ）のいずれのガードルでも、左右一対の補助緊締布部２２は左右の腰部における緊締布部２１の前側に位置し、緊締布部２１は大転子近傍から臀部上方に向かって延びている。同図（ａ）〜（ｃ）のガードルで異なる点は、同図（ａ）では緊締布部２１と補助緊締布部２２は共に上下の両端に向かって先狭形状をなし、同図（ｂ）では緊締布部２１と補助緊締布部２２は互いに下方で重なり合い形状になると共に上端に向かって先狭形状をなし、同図（ｃ）では緊締布部２１と補助緊締布部２２は互いに上方で重なり合い形状になると共に下端に向かって先狭形状をなしている点である。
【００５８】
なお、いずれの場合も左右の布部を縫い合わせて一枚のガードルが構成され、補助緊締布部２２の前側にはフロントウエスト布部１１があり、緊締布部２１はヒップ布部１２に囲まれるようになっている。緊締布部２１と補助緊締布部２２が伸びる方向（弱い緊締力がかかる方向）は、その延在方向であるが、フロントウエスト布部１１とヒップ布部１２の緊締力には方向依存性がない。この第１０変形例によれば、緊締布部２１と補助緊締布部２２を別の素材で構成できるので、梨状筋や腸腰筋に作用する緊締力の大きさや方向を個別かつ適宜に設定し、姿勢を良くすることが可能である。
【００５９】
図２０（ａ）〜（ｃ）は、それぞれ実施形態の第１１変形例に係るショートタイプのガードルを背面から見た斜視図である。同図（ａ）〜（ｃ）のいずれでも、補助緊締布部２２は緊締布部２１の前側に位置し、緊締布部２１は大転子近傍から臀部上方に向かって延びている。同図（ａ）〜（ｃ）のガードルで互いに異なる点は、同図（ａ）では緊締布部２１と補助緊締布部２２は共に上下の両端に向かって先狭形状をなし、同図（ｂ）では緊締布部２１と補助緊締布部２２は互いに上方で重なり合い形状になると共に下端に向かって先狭形状をなし、同図（ｃ）では緊締布部２１と補助緊締布部２２は互いに下方で重なり合い形状になると共に上端に向かって先狭形状をなしている点である。
【００６０】
なお、いずれの場合も補助緊締布部２２の前側にはフロントウエスト布部１１があり、ヒップ布部１２は上側部分１２Ａと下側部分１２Ｂから構成されている。緊締布部２１と補助緊締布部２２の強い緊締力がかかる方向は、その延在方向と直交する方向であるが、フロントウエスト布部１１とヒップ布部１２の緊締力には方向依存性がない。この第１１変形例によっても、緊締布部２１と補助緊締布部２２を別の素材で構成できるので、梨状筋や腸腰筋に作用する緊締力の大きさや方向を個別かつ適宜に設定し、姿勢を良くすることが可能である。
【００６１】
図２１（ａ）〜（ｃ）は、それぞれ実施形態の第１２変形例に係るショートタイプのガードルを背面から見た斜視図である。同図（ａ）〜（ｃ）のいずれのガードルでも、左右一対の緊締布部２０が設けられ、一体でありながら前後の二つの部分に分かれている。緊締布部２０の前側は左右の腰部にフィットし、緊締布部２１の後側は大転子近傍から臀部上方に向かって延びている。同図（ａ）〜（ｃ）のガードルで異なる点は、同図（ａ）では緊締布部２が上下の両端に向かって先狭形状をなし、同図（ｂ）では緊締布部２０が上端に向かって先狭形状をなし、同図（ｃ）では緊締布部２０が下端に向かって先狭形状をなしている点である。
【００６２】
なお、いずれの場合も左右の布部を縫い合わせて一枚のガードルが構成され、緊締布部２０の前側にはフロントウエスト布部１１があり、緊締布部２０の後側にはヒップ布部１２が縫着れるようになっている。緊締布部２０の強い緊締力がかかる方向は、その延在方向と直交する方向であるが、フロントウエスト布部１１とヒップ布部１２の緊締力には方向依存性がない。この第１２変形例によれば、梨状筋や腸腰筋に作用する緊締力により姿勢を良くすることが可能である。
【００６３】
図２２（ａ）〜（ｃ）は、それぞれ実施形態の第１３変形例に係るショートタイプのガードルを背面から見た斜視図である。同図（ａ）〜（ｃ）のいずれでも、補助緊締布部２２は緊締布部２１の前側に位置し、緊締布部２１は大転子近傍から臀部上方に向かって延びている。同図（ａ）〜（ｃ）のガードルで互いに異なる点は、同図（ａ）では緊締布部２１と補助緊締布部２２は共に紐を締め付けることで緊締力を調整可能とし、同図（ｂ）ではコイルボーンを使用して緊締布部２１と補助緊締布部２２を構成するようにし、同図（ｃ）ではエラストマ樹脂を使用して緊締布部２１と補助緊締布部２２を構成している点である。
【００６４】
なお、いずれの場合も補助緊締布部２２の前側にはフロントウエスト布部１１があり、緊締布部２１の後側にはヒップ布部１２がある。緊締布部２１と補助緊締布部２２の強い緊締力がかかる方向は、その延在方向と直交する方向であるが、フロントウエスト布部１１とヒップ布部１２の緊締力には方向依存性がない。この第１３変形例によっても、緊締布部２１と補助緊締布部２２を別の素材や編み方で構成できるので、梨状筋や腸腰筋に作用する緊締力の大きさや方向を個別かつ適宜に設定し、姿勢を良くすることが可能である。
【００６５】
図２３（ａ）〜（ｃ）は、それぞれ実施形態の第１４変形例に係るショートタイプのガードルを背面から見た斜視図である。同図（ａ）〜（ｃ）のいずれでも、補助緊締布部２２は緊締布部２１の前側に位置し、緊締布部２１は大転子近傍から臀部上方に向かって延びている。同図（ａ）〜（ｃ）のガードルで互いに異なる点は、同図（ａ）では緊締布部２１と補助緊締布部２２を複数の菱形形状の当て布を並べて配置して構成し、同図（ｂ）では複数の円形形状の当て布を並べて配置して構成するようにし、同図（ｃ）では複数の三角形形状の当て布を並べて緊締布部２１と補助緊締布部２２を構成している点である。
【００６６】
なお、いずれの場合も補助緊締布部２２の前側にはフロントウエスト布部１１があり、緊締布部２１の後側にはヒップ布部１２がある。緊締布部２１と補助緊締布部２２の強い緊締力がかかる方向は、その延在方向と直交する方向であるが、フロントウエスト布部１１とヒップ布部１２の緊締力には方向依存性がない。この第１４変形例によっても、緊締布部２１と補助緊締布部２２を別の素材や縫い方で構成できるので、梨状筋や腸腰筋に作用する緊締力の大きさや方向を個別かつ適宜に設定可能である。
【００６７】
図２４（ａ）〜（ｃ）は、それぞれ実施形態の第１５変形例に係るロングタイプのガードルの側面図である。同図（ａ）〜（ｃ）のいずれでも、着用者の下腹部前面にフィットするフロントウエスト布部１１と、臀部にフィットするヒップ布部１２と、股部にフィットするクロッチ布部（図示せず）と、太腿にフィットする太腿布部１４とを有する。そして、着用者の人体にフィットする緊締布部２１と補助緊締布部２２を、前述の布部１１，１２，１４等と縫製して、一枚のガードルが構成される。
【００６８】
このように、着用者の腰部に緊締力を付与する緊締布部２１と補助緊締布部２２は、この衣類（ロングガードル）自体の構成要素を成すように、腰部に好適にフィットする部位（左右の腰部）に設けられているので、取扱が容易であって着用感を損なわない。
【００６９】
図２４のロングガードルでは、補助緊締布部２２は下方に向かって先狭形状であって、緊締布部２１の前側に位置する。そして、緊締布部２１は臀部上方から大転子近傍に向かって延び、更に太腿布部１４の前後の間を太腿の中央部分に至るまで、下方に向かって延びている。同図（ａ）〜（ｃ）のガードルで互いに異なる点は、同図（ａ）では緊締布部２１と補助緊締布部２２は共に下方に向かって同等の位置まで延び、同図（ｂ）では緊締布部２１に比べて補助緊締布部２２がより下方まで延び、同図（ｃ）では補助緊締布部２２がより下方まで延びて着用状態の後ろ側に湾曲している点である。
【００７０】
なお、いずれの場合も、ヒップ布部１２は緊締布部２１のより上側部分１２Ａと下側部分１２Ｂから構成されている。緊締布部２１と補助緊締布部２２の強い緊締力がかかる方向は、その延在方向と直交する方向であるが、フロントウエスト布部１１、ヒップ布部１２および太腿布部１４の緊締力には方向依存性がない。この第１５変形例によっても、緊締布部２１と補助緊締布部２２を別の素材で構成できるので、梨状筋や腸腰筋に作用する緊締力の大きさや方向を個別かつ適宜に設定し、姿勢を良くすることが可能である。特に、同図（ｃ）の場合は、補助緊締布部２２が下方まで延びて後ろ側に湾曲しているので、姿勢を変えるための回転が起こりやすくなる効果がある。
【００７１】
図２５（ａ）〜（ｃ）は、それぞれ実施形態の第１６変形例に係るロングタイプのガードルの側面図である。同図（ａ）〜（ｃ）のいずれも、フロントウエスト布部１１、ヒップ布部１２およびクロッチ布部の他に、太腿にフィットする太腿布部１４を有し、緊締布部２１と補助緊締布部２２を布部１１，１２，１４等と縫製して一枚のガードルが構成されている。
【００７２】
緊締布部２１と補助緊締布部２２は、共に下方に向かって先狭形状であって、大転子近傍の同等の位置まで延びている。そして、緊締布部２１と補助緊締布部２２の先端から、カットライン３０が更に太腿布部１４を下方に向かって延びている。同図（ａ）〜（ｃ）のガードルで互いに異なる点は、同図（ａ）ではカットライン３０が後方に向かって湾曲するように臀部の下方に延び、同図（ｂ）ではカットライン３０が斜め後方に向かって膝上方の裾部まで延び、同図（ｃ）ではカットライン３０が斜め前方に向かって膝上方の裾部まで延びている点である。
【００７３】
なお、同図（ａ）の場合は、ヒップ布部１２は緊締布部２１のより上側部分１２Ａと下側部分１２Ｂから構成されている。緊締布部２１と補助緊締布部２２の強い緊締力がかかる方向は、その延在方向と直交する方向であるが、フロントウエスト布部１１、ヒップ布部１２および太腿布部１４の緊締力には方向依存性がない。この第１６変形例によっても、緊締布部２１と補助緊締布部２２を別の素材で構成でき、更に太腿布部１４も別の素材で構成できるので、梨状筋や腸腰筋に作用する緊締力の大きさや方向を個別かつ適宜に設定し、姿勢を良くすることが可能である。特に、同図（ａ）の場合は、カットライン３０が下方まで延びて後ろ側に湾曲しているので、姿勢を変えるための回転が起こりやすくなる効果がある。
【００７４】
図２６（ａ）〜（ｄ）は、それぞれ実施形態の第１７変形例に係るロングタイプのガードルの側面図である。同図（ａ）〜（ｄ）のいずれも、フロントウエスト布部１１、ヒップ布部１２およびクロッチ布部の他に、太腿にフィットする太腿布部１４を有し、緊締布部２１と補助緊締布部２２を布部１１，１２，１４等と縫製して一枚のガードルが構成されている。
【００７５】
緊締布部２１と補助緊締布部２２は、互いに隣接して下方に向かって延びている。同図（ａ）〜（ｄ）のガードルで互いに異なる点は、同図（ａ）では緊締布部２１が膝上方の裾部まで延びるとともに、補助緊締布部２２が大転子の近傍まで先狭形状で延び、同図（ｂ）では緊締布部２１が膝上方の裾部まで延びるとともに、補助緊締布部２２が大転子の下方の太腿部分まで先狭形状で延び、同図（ｃ）では緊締布部２１と補助緊締布部２２の双方が膝上方の裾部まで延び、同図（ｄ）では補助緊締布部２２が膝上方の裾部まで延びるとともに、緊締布部２１が大転子の近傍まで先狭形状で延びている点である。
【００７６】
なお、緊締布部２１と補助緊締布部２２の強い緊締力がかかる方向は、その延在方向と直交する方向であるが、フロントウエスト布部１１、ヒップ布部１２および太腿布部１４の緊締力には方向依存性がない。この第１７変形例によっても、緊締布部２１と補助緊締布部２２を別の素材で構成でき、更に太腿布部１４も別の素材で構成できるので、梨状筋や腸腰筋に作用する緊締力の大きさや方向を個別かつ適宜に設定し、姿勢を良くすることが可能である。
【００７７】
また、実施形態では股付き矯正衣類がショートガードルやロングガードルであるとして説明したが、スパッツ、スポーツ用タイツ、レオタード、ボディスーツ、男性用パンツ・タイツ・スパッツ等のような各種の股付き矯正衣類であっても良い。
【００７８】
【発明の効果】
本発明に係る股付き矯正衣類によれば、着用者の人体に緊締力を付与する緊締部は、この衣類自体の構成要素を成して人体にフィットし、梨状筋をサポートして仙骨のやや上部を後ろから押すような作用を果たす。このように、梨状筋や腸腰筋、さらに外腹斜筋等の骨盤廻りの筋肉に働きかけて姿勢を良くすることができ、しかも取扱が簡便で違和感なく着用することができる。
【図面の簡単な説明】
【図１】人体の梨状筋、腸腰筋および外腹斜筋の位置を説明する図である。
【図２】人体の腸棘、仙骨、第５腰椎および大転子の位置を説明する図である。
【図３】実施形態のガードルと、人体の腸棘、仙骨、第５腰椎および大転子との位置関係を説明する図である。
【図４】実施形態の機能を人体の腰部の骨格から説明する図である。
【図５】実施形態の機能を模式的に説明する図である。
【図６】実施形態に係るショートガードルの構成を示す図である。
【図７】別の実施形態に係るショートガードルの構成を示す図である。
【図８】実施形態に係るショートガードルの姿勢矯正効果を説明する図である。
【図９】実施形態の第１変形例を示すショートガードルの背面斜視図である。
【図１０】図９のショートガードルの型紙の平面図である。
【図１１】実施形態の第２変形例を示すショートガードルの背面斜視図である。
【図１２】実施形態の第３変形例を示すショートガードルの背面斜視図である。
【図１３】実施形態の第４変形例を示すショートガードルの背面斜視図である。
【図１４】実施形態の第５変形例を示すショートガードルの前面斜視図である。
【図１５】実施形態の第６変形例を示すショートガードルの前面斜視図である。
【図１６】実施形態の第７変形例を示すショートガードルの前面斜視図である。
【図１７】実施形態の第８変形例を示すショートガードルの前面斜視図である。
【図１８】実施形態の第９変形例を示すショートガードルの前面斜視図である。
【図１９】実施形態の第１０変形例を示すショートガードルの背面斜視図である。
【図２０】実施形態の第１１変形例を示すショートガードルの背面斜視図である。
【図２１】実施形態の第１２変形例を示すショートガードルの背面斜視図である。
【図２２】実施形態の第１３変形例を示すショートガードルの背面斜視図である。
【図２３】実施形態の第１４変形例を示すショートガードルの背面斜視図である。
【図２４】実施形態の第１５変形例を示すロングガードルの側面図である。
【図２５】実施形態の第１６変形例を示すロングガードルの側面図である。
【図２６】実施形態の第１７変形例を示すロングガードルの側面図である。
【符号の説明】
１１・・・フロントウエスト布部、１２・・・ヒップ布部、１４・・・大腿布部、２０・・・緊締布部、２１・・・緊締布部、２２・・・補助緊締布部、３０・・・カットライン。
【図１】
2004011055.tif 000003
【図２】
2004011055.tif 000004
【図３】
2004011055.tif 000005
【図４】
2004011055.tif 000006
【図５】
2004011055.tif 000007
【図６】
2004011055.tif 000008
【図７】
2004011055.tif 000009
【図８】
2004011055.tif 000010
【図９】
2004011055.tif 000011
【図１０】
2004011055.tif 000012
【図１１】
2004011055.tif 000013
【図１２】
2004011055.tif 000014
【図１３】
2004011055.tif 000015
【図１４】
2004011055.tif 000016
【図１５】
2004011055.tif 000017
【図１６】
2004011055.tif 000018
【図１７】
2004011055.tif 000019
【図１８】
2004011055.tif 000020
【図１９】
2004011055.tif 000021
【図２０】
2004011055.tif 000022
【図２１】
2004011055.tif 000023
【図２２】
2004011055.tif 000024
【図２３】
2004011055.tif 000025
【図２４】
2004011055.tif 000026
【図２５】
2004011055.tif 000027
【図２６】
2004011055.tif 000028